(57)【特許請求の範囲】
【請求項１】
操作部と画像表示部とを折り畳み可能にして備えた携帯端末を開いた状態で複数台並べて用い、複数の画像表示部を組み合わせて１つの大きな画面に見立てて拡大画像表示を行なう表示方法であって、
複数の携帯端末がそれぞれ、他の携帯端末との間で所定の配置パターンで並べられている時に互いに対向し合う携帯端末の前記操作部における両側縁部の互いに反対の位置の一方に被検出部を、他方には該被検出部の有無を検出するセンサーをそれぞれ設けると共に、前記画像表示部における両側縁部の互いに反対の位置の前記一方と同じ方に前記センサーと同じセンサーを、前記他方と同じ方には前記被検出部と同じ被検出部をそれぞれ設け、
複数の携帯端末のうちの１台を、残りの携帯端末に対して拡大画像表示に必要な指示情報を送信するための操作を行なう操作側携帯端末として決定する処理と、
複数の携帯端末がそれぞれ、他の携帯端末との間で前記所定の配置パターンで並べられているかを判定する処理と、
前記所定の配置パターンで並べられていると判定すると、判定した複数の携帯端末のそれぞれにおいて前記所定の配置パターンの中での置き位置を判定し、判定した置き位置に応じて前記１つの大きな画面において表示すべき画面部分を決定する処理と、
前記操作側携帯端末から残りの携帯端末に対して指示情報を送信する処理と、
前記操作側携帯端末及び前記指示情報を受けた残りの携帯端末がそれぞれ、画像情報を受信し、受信した画像情報から前記決定した画面部分の画像を構築して画像表示部にて拡大表示する処理と、
を含み、
前記他の携帯端末との間で前記所定の配置パターンで並べられているかの判定を、前記所定の配置パターンで並べられている時に前記センサーからの検知信号の有無に基づいて行なうことを特徴とする複数の携帯端末を用いた画像表示方法。
【請求項２】
前記携帯端末が、前記受信した画像情報を半分ずつ拡大表示する２台であり、
一方の携帯端末である前記操作側携帯端末は、
他方の携帯端末との間で前記所定の配置パターンで並べられていることを判定すると、画像表示部に、拡大画像表示を行なうかの問いかけを表示する処理と、
当該操作側携帯端末において拡大画像表示を行なう旨のあらかじめ定められた操作が行なわれたかを判定する処理と、を実行し、
前記あらかじめ定められた処理が行なわれたと判定すると、前記他方の携帯端末に対して前記指示情報を送信することを特徴とする請求項１に記載の画像表示方法。
【請求項３】
前記画像情報としてワンセグ放送情報を受信し、前記操作側携帯端末は残りの携帯端末に対して現在受信中のチャンネル番号を含むチャンネル情報を前記指示情報として送信することを特徴とする請求項１又は２に記載の画像表示方法。
【請求項４】
前記所定の配置パターンで並べられていると判定された後、前記所定の配置パターンで並べられていないと判定されるか、あるいは前記操作側携帯端末において拡大画像表示終了のための操作がなされたと判定されると、拡大画像表示を終了することを特徴とする請求項１〜３のいずれか１項に記載の画像表示方法。
【請求項５】
複数のキー入力部を有する操作部と、画像情報を受信する画像情報受信手段と、受信した画像情報を表示する画像表示部と、他の携帯端末と通信を行なうための通信制御手段と、少なくとも画像表示のための制御機能を有する制御手段と、を含み、前記操作部と前記画像表示部とを折り畳み可能にした携帯端末において、
更に、他の携帯端末との間で携帯端末同士を開いた状態で所定の配置パターンで並べられているかを判定する判定手段と、
該判定手段において前記所定の配置パターンで並べられていると判定すると、前記所定の配置パターンの中での自携帯端末の置き位置を判定し、判定した置き位置に応じて前記１つの大きな画面において表示すべき画面部分を決定する機能を有する表示制御手段と、
前記制御手段及び表示制御手段の制御下で、受信した画像情報から前記決定した画面部分の画像を構築して前記画像表示部にて拡大表示させる表示画面構築手段と、
を含み、
前記判定手段を構成する要素として、
前記所定の配置パターンで並べられている時に互いに対向し合う携帯端末の前記操作部における両側縁部の互いに反対の位置の一方に被検出部を、他方には該被検出部の有無を検出するセンサーをそれぞれ備えると共に、前記画像表示部における両側縁部の互いに反対の位置の前記一方と同じ方に前記センサーと同じセンサーを、前記他方と同じ方には前記被検出部と同じ被検出部をそれぞれ備え、更に、前記センサーからの検知信号の有無を監視する監視手段を備えることを特徴とする携帯端末。
【請求項６】
前記表示制御手段は、
前記操作部によりあらかじめ定められた操作がなされたと判定すると、以後、自携帯端末を操作側携帯端末として機能させるように動作し、
前記判定手段において他の携帯端末との間で前記所定の配置パターンで並べられていることが判定されると、前記画像表示部に、拡大画像表示を行なうかの問いかけを表示させる処理と、
拡大画像表示を行なう旨の所定の操作が行なわれたかを判定する処理と、を実行し、
前記所定の操作が行なわれたと判定すると、前記通信制御手段経由で前記他の携帯端末に対して拡大画像表示に必要な指示情報を送信することを特徴とする請求項５に記載の携帯端末。
【請求項７】
前記表示制御手段は、前記操作部により前記あらかじめ定められた操作がなされていないと判定した場合には、他の携帯端末から前記指示情報を受信したかどうかの判定を行ない、前記指示情報を受信したことを判定すると、受信した指示情報を前記表示画面構築手段に送り、
前記表示画面構築手段は、前記指示情報に基づいて受信した画像情報から前記決定した画面部分の画像を構築して前記画像表示部にて拡大表示させることを特徴とする請求項６に記載の携帯端末。
【請求項８】
前記画像情報としてワンセグ放送情報を受信し、前記表示制御手段は他の携帯端末に対して現在受信中のチャンネル番号を含むチャンネル情報を前記指示情報として送信させることを特徴とする請求項６又は７に記載の携帯端末。
【請求項９】
前記表示制御手段は、
前記判定手段により前記所定の配置パターンで並べられていると判定された後、前記判定手段により前記所定の配置パターンで並べられていないと判定されるか、あるいは前記操作部において拡大画像表示終了のための操作がなされたと判定すると、拡大画像表示を終了することを特徴とする請求項５〜８のいずれか１項に記載の携帯端末。
【請求項１０】
前記通信制御手段として、Bluetooth制御手段を備えることを特徴とする請求項５〜９のいずれか１項に記載の携帯端末。
【請求項１１】
請求項６又は７に記載の携帯端末を複数台並べて用い、複数台分の前記画像表示部を組み合わせて１つの大きな画面に見立てて拡大画像表示を行なう画像表示システムであって、複数台の携帯端末のうちの１台を前記操作側携帯端末として機能させ、複数台の携帯端末がそれぞれ、前記表示制御手段により決定した、前記１つの大きな画面において表示すべき画面部分の画像を前記画像表示部により拡大表示することにより、複数の前記画像表示部によって全体として複数倍の拡大画像を表示することを特徴とする画像表示システム。
【請求項１２】
請求項８に記載の携帯端末を複数台並べて用い、複数台分の前記画像表示部を組み合わせて１つの大きな画面に見立ててワンセグ放送画像の拡大表示を行なう画像表示システムであって、複数台の携帯端末のうちの１台を前記操作側携帯端末として機能させ、複数台の携帯端末がそれぞれ、前記表示制御手段により決定した、前記１つの大きな画面において表示すべき画面部分の画像を前記画像表示部により拡大表示することにより、複数の前記画像表示部によって全体として複数倍に拡大されたワンセグ放送画像を表示することを特徴とする画像表示システム。
【請求項１３】
２台の前記携帯端末を前記画像表示部が隣接するように並べてワンセグ放送画像を半分ずつ拡大表示することにより２倍に拡大されたワンセグ放送画像を表示することを特徴とする請求項１２に記載の画像表示システム。
【発明の詳細な説明】
【技術分野】
【０００１】
本発明は、画像表示部を備えた携帯端末を複数用いる画像表示方法及び画像表示システムに関し、例えば複数の携帯端末を用いて複数の画像表示部を大きな１つの画面に見立ててワンセグ放送等を視聴したり、ゲーム用画像を表示したりするのに適した画像表示方法及び画像表示システムに関する。
【背景技術】
【０００２】
近年、携帯電話機のような携帯端末でもワンセグ放送（携帯電話機など簡易移動情報端末向けに地上デジタル放送が行っている放送サービス）視聴が可能になったが、高齢者や視力が悪い人にとっては携帯電話機の画面サイズは十分な大きさとは言えない。しかし、携帯電話機は携帯に便利な小型であることが１つの特長であるので、ＬＣＤ（Ｌｉｑｕｉｄ  Ｃｒｙｓｔａｌ  Ｄｉｓｐｌａｙ）等による画像表示部についても今後の拡大化は望めない。このため、ワンセグ放送を大きな画像で視聴したいと思う場合には、ルーペ等を当てて拡大して見るといった方法を取っているのが現状である。
【０００３】
このような現状に対し、２台のＰＤＡ（Ｐｅｒｓｏｎａｌ  Ｄｉｇｉｔａｌ  Ａｓｉｓｔａｎｔ）（携帯端末）の一方をサーバーとし、他方をクライアントとして、１つの画像を２分割したうちの一方をサーバー側のＰＤＡの画像表示部で、他方をクライアント側のＰＤＡの画像表示部でそれぞれ拡大表示することにより、２台のＰＤＡで見かけ上拡大された画像を表示する方法が提案されている（特許文献１）。
【先行技術文献】
【特許文献】
【０００４】
【特許文献１】特開２００４−４０４９７号公報
【発明の概要】
【発明が解決しようとする課題】
【０００５】
しかしながら、特許文献１に記載の方法は、サーバー側のＰＤＡでサーバー側の分割データ（表示画像）だけでなくクライアント側の分割データ（表示画像）をも作成し、これをクライアント側のＰＤＡに送信して表示させる方法であるため、サーバー側のＰＤＡからクライアント側のＰＤＡに分割データを送り続ける必要があり、常に同期のための情報のやり取りが必要である。
【０００６】
そこで本発明は、上記のような方法によらずに、複数の携帯端末を使って複数倍の画面サイズを確保の上、より大きいサイズでワンセグ放送やゲーム用画像等を表示できるようにすることを課題とする。
【課題を解決するための手段】
【０００７】
（第１の態様）
本発明の第１の態様によれば、画像表示部を備えた携帯端末を複数台並べて用い、複数の画像表示部を組み合わせて１つの大きな画面に見立てて拡大画像表示を行なう表示方法であって、複数の携帯端末のうちの１台を、残りの携帯端末に対して拡大画像表示に必要な指示情報を送信するための操作を行なう操作側携帯端末として決定する処理と、複数の携帯端末がそれぞれ、他の携帯端末との間で所定の配置パターンで並べられているかを判定する処理と、所定の配置パターンで並べられていると判定すると、判定した複数の携帯端末のそれぞれにおいて所定の配置パターンの中での置き位置を判定し、判定した置き位置に応じて前記１つの大きな画面において表示すべき画面部分を決定する処理と、前記操作側携帯端末から残りの携帯端末に対して指示情報を送信する処理と、前記操作側携帯端末及び前記指示情報を受けた残りの携帯端末がそれぞれ、画像情報を受信し、受信した画像情報から前記決定した画面部分の画像を構築して画像表示部にて拡大表示する処理と、を含むことを特徴とする複数の携帯端末を用いた画像表示方法が提供される。
【０００８】
上記の画像表示方法は、以下の変更態様で実施されても良い。
【０００９】
（第２の態様）
第１の態様による画像表示方法において、前記携帯端末が、前記受信した画像情報を半分ずつ拡大表示する２台であり、一方の携帯端末である前記操作側携帯端末は、他方の携帯端末との間で所定の配置パターンで並べられていることを判定すると、画像表示部に、拡大画像表示を行なうかの問いかけを表示する処理と、当該操作側携帯端末において拡大画像表示を行なう旨のあらかじめ定められた操作が行なわれたかを判定する処理と、を実行し、前記あらかじめ定められた処理が行なわれたと判定すると、前記他方の携帯端末に対して前記指示情報を送信することを特徴とする画像表示方法。
【００１０】
（第３の態様）
第１又は第２の態様による画像表示方法において、前記他の携帯端末との間で所定の配置パターンで並べられているかの判定を、前記所定の配置パターンで並べられている時に互いに対向し合う携帯端末の側縁部における少なくとも２箇所の一方に被検出部を設け、他方には隣接する携帯端末における前記被検出部の有無を検知するセンサーを設けて、該センサーからの検知信号に基づいて行なうことを特徴とする画像表示方法。
【００１１】
（第４の態様）
第１〜第３のいずれかの態様による画像表示方法において、前記画像情報としてワンセグ放送情報を受信し、前記操作側携帯端末は残りの携帯端末に対して現在受信中のチャンネル番号を含むチャンネル情報を前記指示情報として送信することを特徴とする画像表示方法。
【００１２】
（第５の態様）
第１〜第４のいずれかの態様による画像表示方法において、前記所定の配置パターンで並べられていると判定された後、前記所定の配置パターンで並べられていないと判定されるか、あるいは前記操作側携帯端末において拡大画像表示終了のための操作がなされたと判定されると、拡大画像表示を終了することを特徴とする画像表示方法。
【００１３】
（第６の態様）
本発明の第６の態様によれば、複数のキー入力部を有する操作手段と、画像情報を受信する画像情報受信手段と、受信した画像情報を表示する画像表示手段と、他の携帯端末と通信を行なうための通信制御手段と、少なくとも画像表示のための制御機能を有する制御手段と、を含む携帯端末において、更に、他の携帯端末との間で所定の配置パターンで並べられているかを判定する判定手段と、該判定手段において前記所定の配置パターンで並べられていると判定すると、前記所定の配置パターンの中での自携帯端末の置き位置を判定し、判定した置き位置に応じて前記１つの大きな画面において表示すべき画面部分を決定する機能を有する表示制御手段と、前記制御手段及び表示制御手段の制御下で、受信した画像情報から前記決定した画面部分の画像を構築して前記画像表示手段にて拡大表示させる表示画面構築手段と、を含むことを特徴とする携帯端末が提供される。
【００１４】
上記の携帯端末は、以下の変更態様で実施されても良い。
【００１５】
（第７の態様）
第６の態様による携帯端末において、前記判定手段は、前記所定の配置パターンで並べられている時に隣接する他の携帯端末と互いに対向し合う側縁部における少なくとも２箇所の一方に設けられた被検出部と、前記少なくとも２箇所の他方に設けられて前記隣接する他の携帯端末における前記被検出部の有無を検知するセンサーと、該センサーからの検知信号を監視する監視手段と、を含むことを特徴とする携帯端末。
【００１６】
（第８の態様）
第７の態様による携帯端末において、前記表示制御手段は、前記操作手段によりあらかじめ定められた操作がなされたと判定すると、以後、自携帯端末を操作側携帯端末として機能させるように動作し、前記判定手段において他の携帯端末との間で所定の配置パターンで並べられていることが判定されると、前記画像表示手段に、拡大画像表示を行なうかの問いかけを表示させる処理と、
拡大画像表示を行なう旨の所定の操作が行なわれたかを判定する処理と、を実行し、前記所定の操作が行なわれたと判定すると、前記通信制御手段経由で前記他の携帯端末に対して拡大画像表示に必要な指示情報を送信することを特徴とする携帯端末。
【００１７】
（第９の態様）
第８の態様による携帯端末において、前記表示制御手段は、前記操作手段により前記あらかじめ定められた操作がなされていないと判定した場合には、他の携帯端末から前記指示情報を受信したかどうかの判定を行ない、前記指示情報を受信したことを判定すると、受信した指示情報を前記表示画面構築手段に送り、
前記表示画面構築手段は、前記指示情報に基づいて受信した画像情報から前記決定した画面部分の画像を構築して前記画像表示手段にて拡大表示させることを特徴とする携帯端末。
【００１８】
（第１０の態様）
第８又は第９の態様による携帯端末において、前記画像情報としてワンセグ放送情報を受信し、前記表示制御手段は他の携帯端末に対して現在受信中のチャンネル番号を含むチャンネル情報を前記指示情報として送信させることを特徴とする携帯端末。
【００１９】
（第１１の態様）
第６〜第１０のいずれかの態様による携帯端末において、前記表示制御手段は、前記判定手段により前記所定の配置パターンで並べられていると判定された後、前記判定手段により前記所定の配置パターンで並べられていないと判定されるか、あるいは前記操作手段において拡大画像表示終了のための操作がなされたと判定すると、拡大画像表示を終了することを特徴とする携帯端末。
【００２０】
（第１２の態様）
第６〜第１１のいずれかの態様による携帯端末において、前記通信制御手段として、Bluetooth制御手段を備えることを特徴とする携帯端末。
【００２１】
（第１３の態様）
本発明の第１３の態様によれば、上記第８又は第９の態様による携帯端末を複数台並べて用い、複数台分の前記画像表示手段を組み合わせて１つの大きな画面に見立てて拡大画像表示を行なう画像表示システムであって、複数台の携帯端末のうちの１台を前記操作側携帯端末として機能させ、複数台の携帯端末がそれぞれ、前記表示制御手段により決定した、前記１つの大きな画面において表示すべき画面部分の画像を前記画像表示手段により拡大表示することにより、複数の前記画像表示手段によって全体として複数倍の拡大画像を表示することを特徴とする画像表示システムが提供される。
【００２２】
（第１４の態様）
本発明の第１４の態様によれば、第１０の態様による携帯端末を複数台並べて用い、複数台分の前記画像表示手段を組み合わせて１つの大きな画面に見立ててワンセグ放送画像の拡大表示を行なう画像表示システムであって、複数台の携帯端末のうちの１台を前記操作側携帯端末として機能させ、複数台の携帯端末がそれぞれ、前記表示制御手段により決定した、前記１つの大きな画面において表示すべき画面部分の画像を前記画像表示手段により拡大表示することにより、複数の前記画像表示手段によって全体として複数倍に拡大されたワンセグ放送画像を表示することを特徴とする画像表示システムが提供される。
【００２３】
上記第１４の態様による画像表示システムの簡単な構成例としては、上記第１４の態様による画像表示システムにおいて、２台の前記携帯端末を前記画像表示手段が隣接するように並べてワンセグ放送画像を半分ずつ拡大表示することにより２倍に拡大されたワンセグ放送画像を表示する画像表示システムがある。
【発明の効果】
【００２４】
第１の効果は、ユーザがより大きい画面でワンセグ放送等の画像を視聴できるようにした点である。その理由は、複数倍の画面サイズを確保するために、携帯端末を複数台使用し、各携帯端末において複数に分割した各画像を生成してこれを同期拡大表示できるようにしたためである。
【００２５】
第２の効果は、ユーザが複雑な設定をせずとも、複数台の携帯端末を並べて置くだけで拡大画像表示を自動起動できるようにした点である。その理由は、複数の携帯端末がそれぞれ、他の携帯端末との間で所定の配置パターンで並べられているかの判定を行なうと共に、所定の配置パターンの中での自携帯端末の置き位置を判定できるようにしたためである。
【図面の簡単な説明】
【００２６】
【図１】携帯電話機によるワンセグ放送のこれまでの視聴形態を示す図である。
【図２】本発明の実施形態として、２台の携帯電話機によるワンセグ放送の視聴形態を示す図である。
【図３】本発明の実施形態において、図２に示す視聴形態を自動起動する際の判定に使用するために携帯電話機に設置される磁石と磁気センサーについて説明するための図である。
【図４】本発明の実施形態において、図３に示した磁気センサーの検出パターンについて説明するための図である。
【図５】本発明の実施形態による携帯電話機の構成例を示したブロック図である。
【図６】本発明の実施形態において、図２に示す視聴形態を実現する際の２台の携帯電話機の動作の流れを説明するためのフローチャート図である。
【図７】本発明の別の実施形態として、４台の携帯電話機によるワンセグ放送の視聴形態を示す図である。
【発明を実施するための形態】
【００２７】
本発明は、複数の携帯端末を使って複数倍の画面サイズを確保の上、より大きい画面サイズでワンセグ放送、ゲーム用画像等を視聴するための仕組みを提案するものである。
【００２８】
図１は、１台の携帯電話機でこれまでの視聴形態によりワンセグ放送を視聴する場合のＬＣＤの表示方法である。
【００２９】
一方、本発明の好ましい実施例として２台の携帯電話機を用いる場合について言えば、図２に示すように２台の携帯電話機１００、２００を並べて使用して２つのＬＣＤ１０１、２０１を１つの大きな画面に見立ててワンセグ放送を視聴する機能を実現している。以下では、２台の携帯電話機によるこのような機能を２携帯ワンセグ視聴機能と呼ぶ。
【００３０】
本発明の好ましい実施例では、特に、２台の携帯電話機１００、２００をその長手方向の一辺が互いに平行になるように横に並べると、自動的に、操作側の携帯電話機のＬＣＤに２携帯ワンセグ視聴機能を使用するか否かをユーザに問うポップアップが現れ、ユーザが使用を選択するあらかじめ定められた操作を行なうことで本機能が起動するようにしている。そして、操作側の携帯電話機でユーザが２携帯ワンセグ視聴機能を終了する操作を行なうと本機能は停止する。また、２台の携帯電話機が離れた場合、本機能は自動的に停止するように構成されている。
【００３１】
以下の好ましい実施例は、携帯端末として携帯電話機を用い、２台の携帯電話機の場合について説明するが、このような実施例はあくまでも一例にすぎず、ディスプレイ（画像表示部）を備える携帯端末全般で、３台以上の場合にも適用可能である。いずれの場合も、複数台の携帯端末を並べた状態を、ホルダ等の手段により保持するようにしても良い。
【００３２】
［実施例の構成］
図３〜図５を参照して本発明の実施例を説明する。
【００３３】
１．起動方法
２つの携帯電話機をその長手方向の一辺が互いに平行になるように、平面上に並べて配置すると、自動的に２携帯ワンセグ視聴機能が起動する。自動的に起動するための仕掛けは以下の通りである。並べて配置する携帯電話機の構成自体は同じであり、以下では一方の携帯電話機１００について説明する。
【００３４】
本実施例の携帯電話機１００は、２携帯ワンセグ視聴機能を自動起動する手段として磁気センサーと磁石（被検出部）をそれぞれ２つずつ（２組）搭載している。以下の説明における右側、左側は、携帯電話機に向って右側、左側という意味である。
【００３５】
図３は搭載する磁気センサーと磁石の配置場所の一例を示している。括弧内は他方の携帯電話機２００の場合に該当する参照番号である。ＬＣＤ１０１（２０１）側の上部左側に磁気センサー１０２−１（２０２−１）、上部右側に磁石１０３−１（２０３−１）をそれぞれ搭載し、操作部側の上部左側に磁石１０３−２（２０３−２）、上部右側に磁気センサー１０２−２（２０２−２）をそれぞれ搭載している。
【００３６】
これらの磁気センサーと磁石の組み合わせは、図４を参照して詳しく説明するが、２台の携帯電話機が所定の配置パターンで並べられている時に、隣接する他の携帯端末と互いに対向し合う側縁部における少なくとも２箇所の一方に磁石があり、前記少なくとも２箇所の他方に前記隣接する他の携帯端末における磁石の有無を検知する磁気センサーがあるように構成されれば良い。つまり、磁気センサーと磁石の組が２組の場合、四角形の２組の対角の一方の組に磁気センサー、他方の組に磁石が位置するように構成することで、２台の携帯電話機の並びが左右逆であっても問題無いようにしている。
【００３７】
磁気センサーと磁石の上記のような配置形態によると、図４（Ａ）の上図に示すように、右側に置かれた携帯電話機２００のＬＣＤ２０１側の磁気センサー２０２−１が左側に置かれた携帯電話機１００のＬＣＤ１０１側の磁石１０３−１を検知し、且つ携帯電話機１００の操作部側の磁気センサー１０２−２が携帯電話機２００の操作部側の磁石２０３−２を検知した場合、携帯電話機１００は左側、携帯電話機２００は右側の正しい場所にそれぞれ配置されたと判断して２携帯ワンセグ視聴機能を自動起動する。このような携帯電話機の配置に関する判断手段、２携帯ワンセグ視聴機能の自動起動手段については後述する。
【００３８】
図４（Ａ）の下図は、携帯電話機１００と携帯電話機２００の置き場所が左右逆の場合であるが、右側に置かれた携帯電話機１００のＬＣＤ１０１側の磁気センサー１０２−１が左側に置かれた携帯電話機２００のＬＣＤ２０１側の磁石２０３−１を検知し、且つ携帯電話機２００の操作部側の磁気センサー２０２−２が携帯電話機１００の操作部側の磁石１０３−２を検知することにより、図４（Ａ）の上図と同様に２携帯ワンセグ視聴機能が自動起動する。
【００３９】
一方、図４（Ｂ）は２つの携帯電話機１００、２００が正しく配置されていないと判断できる場合である。図４（Ｂ）から理解できるように、２台の携帯電話機の一方が上下逆、前後逆、さらには上下前後共に逆にして並べられた場合、先に示した図４（Ａ）の２つの例の条件を満たさないため、２携帯ワンセグ視聴機能は起動しない。
【００４０】
このようにして、携帯電話機１００側では、右側の磁気センサー１０２−２が磁石を検知すると自機が所定の配置パターンで配置され、しかも置き位置は配置パターンの中の左側であると判断し、左側の磁気センサー１０２−１が磁石を検知すると自機が所定の配置パターンで配置され、しかも置き位置は配置パターンの中の右側であると判断する。携帯電話機２００も同様である。
【００４１】
なお、磁気センサーと磁石の組み合わせによる２携帯ワンセグ視聴機能の自動機能は一例にすぎず、他の周知の方法を採用して実現されても良い。
【００４２】
２．画面表示方法
図５は本実施例による携帯電話機の構成例を示したブロック図である。携帯電話機１００は、これまでの携帯電話機と同様、ＬＣＤ１０１と、ワンセグ放送データを受信するワンセグ放送受信部１０４と、チャンネル制御や画面表示設定等のワンセグ視聴機能を制御するワンセグ制御部１０５、Bluetooth通信を制御するBluetooth制御部１０６を含む。Bluetooth制御部１０６は、良く知られているように、携帯電話機の持つ本来の通信機能とは別に、図４（Ａ）のような配置パターンにて置かれた状態で、隣接する携帯電話機を識別し簡単な情報のやり取りを行なう通信制御手段としての機能を有している。
【００４３】
続いて、本実施例による携帯電話機１００に追加されたブロックについて説明する。携帯電話機１００は、磁気センサー１０２−１、１０２−２が発生する検知イベントの有無を検出する磁気センサー監視部（監視手段）１０７を有する。磁気監視部１０７は、磁気センサーや磁石と共に、自機が所定の配置パターンで並べられているかを判定する判定手段として機能する。携帯電話機１００はまた、磁気センサー監視部１０７で検出された検知イベントを基に自機の置き位置を判定すると共に、判定した置き位置に応じて、１つの大きな画面において表示すべき画面部分（ここでは、半分の画面）を決定する２携帯表示制御部（表示制御手段）１０８を有する。２携帯表示制御部１０８は、２携帯ワンセグ視聴機能の起動制御を行うと共に、ワンセグ制御部１０５との連携を行い、Bluetooth制御部１０６へチャンネルデータ等を送信する。携帯電話機１００はさらに、ワンセグ制御部１０５経由でワンセグ放送データ、表示すべき画面部分に関する情報を受信して表示すべき半画像の作成とその解像度調整を行なう表示画面構築部１０９を有する。
【００４４】
携帯電話機１００は、上記のほか、図示、詳しい説明は省略するが、複数のキー入力部から成る操作部（操作手段）や、以下に説明する制御動作を実行するために必要な制御プログラムをはじめ、携帯電話機の各種機能を実現するための各種情報を記憶する記憶部を含む記憶装置等、これまでの携帯電話機が備える機能を有していることは言うまでも無い。２携帯表示制御部１０８は、記憶部と接続されていると共に、ワンセグ制御部１０５経由で操作部側のキー入力情報を受け、後述される制御動作を実行する。
【００４５】
図５においても、括弧内に他方の携帯電話機２００の場合に該当する参照番号を示す。
【００４６】
２携帯表示制御部１０８は、ワンセグ視聴機能を起動しているときに、磁気センサー監視部１０７から検知イベントを受け取ると、図４（Ａ）で説明した２つの条件のいずれかを満たしているかを判定すると共に、携帯電話機の置き位置、すなわち右側、左側のいずれに配置されているかを判断する。２携帯表示制御部１０８は、判断の結果、上記２つの条件のいずれか一方を満たしていればワンセグ制御部１０５に対して、受信中のワンセグ放送データを表示画面構築部１０９に渡すよう指示すると共に、携帯電話機の置き位置情報（右側、左側）も通知する。
【００４７】
ワンセグ制御部１０５は、２携帯表示制御部１０８からの指示を受けると、ＬＣＤ１０１へのワンセグ放送データの出力を止めて、ワンセグ放送データ、置き位置情報を表示画面構築部１０９に流す。ワンセグ放送データ、置き位置情報を受け取った表示画面構築部１０９は、携帯電話機の置き位置情報を基にワンセグ放送データを２分割しＬＣＤ１０１に半分の動画像を表示させるためのワンセグ放送データを構築する。構築された半画像のワンセグ放送データはＬＣＤ１０１に送られ、ＬＣＤ１０１で２倍に拡大表示される。
【００４８】
なお、他方の携帯電話機（以下では、対向機２００と呼ぶことがある）と同期を取る必要があるため、２携帯表示制御部１０８はBluetooth通信を制御するBluetooth制御部１０６に対して対向機とのBluetooth通信路確立を依頼し、通信路確立後に現在表示しているチャンネル番号を含むチャンネル情報（指示情報）を対向機に送信させる。
【００４９】
携帯電話機１００からチャンネル情報を受け取った対向機２００は自身のワンセグ制御部２０５と２携帯表示制御部２０８を連携させて、携帯電話機１００側の半画像とは逆半分の画像を自身の表示画面構築部２０９で構築し自身のＬＣＤ２０１に送り、ＬＣＤ２０１で２倍に拡大表示する。なお、この時、対向機２００では、図３に示した磁気センサー２０２−１、２０２−２、磁石２０３−１、２０３−２と、磁気センサー監視部２０７により、携帯電話機１００について説明したのと同様の方法で、自身の置き位置を把握している。
【００５０】
３．チャンネル変更方法
２携帯ワンセグ視聴機能により視聴中のチャンネル制御は２携帯ワンセグ視聴機能を起動した側（以下では、操作側携帯電話機１００と呼ぶことがある）で行い、対向機２００側では行なわない。操作側携帯電話機１００でユーザがチャンネルを変更するとチャンネル番号を含むチャンネル情報がワンセグ制御部１０５、２携帯表示制御部１０８を介してBluetooth通信にて対向機２００側の２携帯表示制御部２０８へ通知される。通知を受けた対向機２００側の２携帯表示制御部２０８はチャンネル情報をワンセグ制御部２０５に渡し、後は前述と同様の方法で、変更したチャンネルの半画像をＬＣＤ２０１により２倍に拡大表示する。
【００５１】
４．終了方法
操作側携帯電話機１００でユーザが所定のキー入力部を操作することにより２携帯ワンセグ視聴機能を終了するか、もしくは２つの携帯電話機１００、２００が離されることにより、磁気センサー監視部１０７、２０７からの検知イベントが無くなって２携帯表示制御部１０８、２０８において図４（Ａ）の条件を満たせなくなったことが判断された時点で２携帯ワンセグ視聴機能は終了し、待ち受け画面に遷移する。
【００５２】
［実施例の動作］
図６を参照して上記実施例の動作を説明する。以下では、便宜上、操作側携帯電話機と対向機とに分けて制御動作を説明するが、携帯電話機は、両方の制御動作機能を有していることは言うまでも無い。
【００５３】
操作側携帯電話機１００の制御フロー（図中左側）と対向機２００の制御フロー（図中右側）を詳細に説明する。以下の制御は、主に、２携帯表示制御部１０８（２０８）が、図示されていない記憶部に格納されている制御用プログラムを読み出して実行することで実現される。
【００５４】
はじめに、ユーザにより操作側携帯電話機１００においてあらかじめ決められたキー入力部を押下することにより、操作側携帯電話機１００はこれをトリガーとして受けて、以後、操作側として機能する。言い換えれば、トリガー入力の無いまま、操作側携帯電話機１００から指示情報を受けた携帯電話機は対向機となる。
【００５５】
２つの携帯電話機１００、２００が接近するようにされると、それぞれの磁気センサーが検知イベントを磁気センサー監視部１０７、２０７に通知するため、２携帯表示制御部１０８、２０８にて図４（Ａ）のパターンであるかを判定する。図４（Ａ）のパターンである場合（ステップＡ１、Ｂ１）、操作側携帯電話機１００はワンセグ視聴機能を使用中かをチェックする（ステップＡ２）。ワンセグ視聴機能を使用していない場合であれば２携帯ワンセグ視聴機能を起動する必要がないため、何もせずフローを終了する。
【００５６】
操作側携帯電話機１００においてワンセグ視聴機能が起動中であれば、ユーザに対して２携帯ワンセグ視聴機能を使用するかどうかを問うポップアップをＬＣＤ１０１に表示し（ステップＡ３）、ユーザの選択操作入力を待つ（ステップＡ４）。キー入力部を使用して２携帯ワンセグ視聴機能を使用する選択操作が行なわれた場合、操作側携帯電話機１００は、対向機２００とはBluetooth通信にて情報をやり取りして同期を取るため、Bluetooth通信範囲に対向機２００以外の異なる携帯端末も存在する場合は、Bluetooth通信範囲に存在するすべての携帯端末をポップアップ画面に表示しその中でユーザに正しい対向機を選択してもらうよう表示する。ステップＡ４においてユーザが「使用する」を選択したと判別されると、Bluetooth接続を開始し、対向機とBluetooth網を張る（ステップＡ５）。
【００５７】
一方、対向機２００は、あらかじめ決められたキー入力部が押下されていないので、ステップＢ１での図４（Ａ）のパターンの判定後、操作側携帯電話機１００から２携帯ワンセグ視聴機能の起動依頼（このタイミングで到来するBluetooth接続依頼を２携帯ワンセグ視聴機能の起動依頼と判断する）があるかを待ち（ステップＢ２）、一定時間経過しても依頼がない場合は制御フローを終了する。一定時間内に起動依頼があった場合は操作側携帯電話機１００とのBluetooth通信を許可する（ステップＢ３）。その後、操作側携帯電話機１００から視聴中のチャンネル情報を対向機２００に送付する（ステップＡ６）。操作側携帯電話機１００からチャンネル情報を受けた対向機２００は、ステップＢ４においてワンセグ視聴機能の使用中であるかの判定動作を行い、対向機２００がワンセグ視聴機能を起動していなければ、ワンセグ視聴機能を起動させた後（ステップＢ５）、受信したチャンネル情報のチャンネルに変更する（ステップＢ６）。その後、それぞれの携帯電話機１００、２００で対称となる半画像をそれぞれの表示画面構築部１０９、２０９で構築し、それぞれのＬＣＤ１０１、２０１に２倍にして拡大表示する（ステップＡ７、Ｂ７）。
【００５８】
［実施例の効果］
上記実施例によれば、以下の効果が得られる。
【００５９】
第１の効果は、ユーザがより大きい画面でワンセグ放送を視聴できることである。その理由は、２倍の画面サイズを確保するために、携帯電話機を２台使用し、左半分、右半分の動画像を生成して同期拡大表示できるからである。
【００６０】
第２の効果は、ユーザが複雑な設定をせずとも、２台の携帯電話機を並べて置くだけで２携帯ワンセグ視聴機能を起動できることである。その理由は、携帯電話機に装着した磁石と磁気センサーの組み合わせを使って各携帯電話機が、他の携帯電話機との間で所定の配置パターンで並べられているかの判定を行なうと共に、所定の配置パターンの中での自携帯電話機の置き位置（左右）を検知し、これを基に２携帯ワンセグ視聴機能を自動起動できるからである。
【００６１】
第３の効果は、ユーザが行なうチャンネル変更は操作側携帯電話機のみで行えば良いようにした点である。その理由は、Bluetooth通信機能を使用することで常時チャンネル情報を送受信できる仕掛けを搭載しているためである。
【００６２】
第４の効果は、操作側携帯電話機と対向機との間で常に情報のやり取りを行なわなくても拡大画像表示を行なうことができる。
【００６３】
［発明の他の実施例］
次に、本発明の他の実施例について説明する。上記実施例では２つの携帯電話機を使用することで２倍の画面サイズを確保する方法を例示したが、３台や、図７に示すように携帯電話機の使用台数を４台にすることで４倍の画面サイズを確保する方法も実現できる。図７の配置形態は、図４（Ａ）のように配置した２台の携帯電話機を２組用意し、それぞれの組のＬＣＤの短辺を突き合わせるように配置しているが、横に４台並べる配置形態でも良い。３台の場合、横に並べ、両側については上記実施例と同様の検知モード、中央については両側の磁気センサーが共に磁石を検知した時に配置パターンの中央にあるとの判定で置き位置を判別することができる。
【００６４】
また上記実施例では携帯電話機によるワンセグ放送の視聴を対象としているが、例えばＪＡＶＡゲームを対象にするといった視聴形態も実現できる。この場合、一人で複数台の携帯端末を用いて複数倍のディスプレイを１つの画面に見立てて表示してゲームを行う形態のほか、複数人分の携帯端末を用いて複数倍のディスプレイを１つの画面に見立てて表示して複数人でゲームを行なう形態も実現できる。
【００６５】
本発明は、携帯電話機に限らず、ＰＨＳ（Ｐｅｒｓｏｎａｌ  Ｈａｎｄｙｐｈｏｎｅ  Ｓｙｓｔｅｍ）、ＰＤＡ等のディスプレイを備えた携帯端末全般に適用可能である。
【符号の説明】
【００６６】
１００    携帯電話機（操作側携帯電話機）
１０１、２０１    ＬＣＤ
１０２−１、１０２−２、２０２−１、２０２−２    磁気センサー
１０３−１、１０３−２、２０３−１、２０３−２    磁石
２００    携帯電話機（対向機）
【図１】
0005423964.tif 000002
【図２】
0005423964.tif 000003
【図３】
0005423964.tif 000004
【図４】
0005423964.tif 000005
【図５】
0005423964.tif 000006
【図６】
0005423964.tif 000007
【図７】
0005423964.tif 000008